(57)【要約】      （修正有）【課題】簡易型の平板眼鏡フレームのフィルムレンズ眼鏡の弦部に、可動するカギ状のフックを左右に設けることで、カギ状のフックを指で内側に押しながら使用している度付き眼鏡の弦部の上から引っ掛け固定することで、前記眼鏡を容易に重ね合わせることができる平板眼鏡フレームのフィルムレンズ眼鏡を提供する。【解決手段】簡易型の平板眼鏡フレームのフィルムレンズ眼鏡の弦部に設けられた押し出し抜き窓部１ｆに、押し出しフック折部により内側に折り曲げられる押し出しフック部１ｃを備えたことを特徴とする。【選択図】図２
0003182275.tif 000002
【実用新案登録請求の範囲】
【請求項１】
紙製や樹脂等の平たんなフレームのフィルムレンズ眼鏡の弦に、重ね合わせる使用中の度付き眼鏡の弦の上に掛ける構成を特徴とする弦の内側に可動するフック部材。
【考案の詳細な説明】
【技術分野】
【０００１】  本考案は、使用している度付き眼鏡の上から掛ける簡易型の紙製等のフィルムレンズ眼鏡を固定する際、前記フレームの弦部にフックを付加した眼鏡に関するものである。
【背景技術】
【０００２】  従来の度付き眼鏡の上から掛ける、簡易型の紙製等のフィルムレンズ眼鏡は、弦部に逆Ｕ字形にカットした切れ込みの中に使用している度付き眼鏡の弦を入れる形状であった。しかしながら使用している度付き眼鏡の弦部の太さやレンズ部に固定される弦部の上下位置や耳あて部の位置によって、確実に簡易型の紙製等のフィルムレンズ眼鏡の弦部を固定することができない構成であった。
【先行技術文献】
【特許文献】
【０００３】
【特許文献１】
【考案の概要】
【考案が解決しようとする課題】
【０００４】  本考案は、以上のような従来の欠点に鑑み、簡易型の紙製等のフィルムレンズ眼鏡の弦部に、可動するカギ状のフックを左右に設けることで、カギ状のフックを指で内側に押しながら使用している度付き眼鏡の弦部の上から引っ掛け固定することで、前記眼鏡を容易に重ね合わせることを目的とする。
【課題を解決するための手段】
【０００５】  上記の目的・課題を解決するために、本考案は簡易型の紙製等のフィルムレンズ眼鏡の弦部に左右に可動するカギ状のフックを設ける構成ととする。
【考案の効果】
【０００６】  以上の説明から明らかなように、本考案にあっては次に列挙する効果が得られる。
（１）従来の簡易型の紙製等のフィルムレンズ眼鏡を使用する度付き眼鏡の上に掛ける場合、使用する度付き眼鏡の弦部の太さやレンズ部に固定される弦部の上下位置や耳あて部の位置に関わらず、容易に確実に固定できる効果がある。【０００７】  （２）弦部を耳あて部で固定してから、フックを内側に押し出し掛けるため、使用する度付き眼鏡の弦に容易に掛けることができる効果がある。
【図面の簡単な説明】
【０００８】
【図１】  本考案を実施するための従来型の弦部に逆Ｕ字形にカットした部分を有する紙製のフィルムレンズ眼鏡の斜視図である。
【図２】  本考案を実施するためのカギ状のフック部を有する紙製のフィルムレンズ眼鏡の側面図である。
【図３】  本考案を実施するためのカギ状のフック部を有する紙製のフィルムレンズ眼鏡の弦を示す側面図である。
【図４】  本考案を実施するための使用中の眼鏡の上にカギ状のフック部を掛けた状態を示す上面図である。
【図５】  本考案を実施するための紙製のフィルムレンズ眼鏡の弦に有したカギ状のフック部を左右とも内側に押し出した状態を示す正面図である。
【考案を実施するための形態】
【０００９】  以下、本考案の実施例を図面に基づいて説明する。
【実施例】
【００１０】  第２図〜第５図は本考案の好ましい実施例を示し、第２図斜視図はカギ状のフック部を有する紙製のフィルムレンズ眼鏡の、押し出しフック付き弦部１ｂに設けられた押し出しフック部１ｃと押し出し抜き窓部１ｆの位置を示した図で構成されている。【００１１】  第１図斜視図は、従来の紙製のフィルムレンズ眼鏡の弦部に逆Ｕ字形にカットした切れ込みを入れ、この中に使用している度付き眼鏡の弦を入れる形状を示したものである。第４図の使用中眼鏡弦部２及び押し出しフック付き弦部１ｂのように、重ね合わせる眼鏡の弦は平行であり、逆Ｕ字カット付き弦部１ａを曲げることで使用中眼鏡弦部２を掛けなければならない構造であった。また、使用中眼鏡によっては使用中眼鏡レンズ部２ａに取り付ける弦が上の位置の場合、紙製のフィルムレンズ眼鏡の弦の耳あてを起点にすると、紙眼鏡レンズ部３は使用中眼鏡レンズ部２ａの上にズレが生じ、重ね合わせる効果を得ることができない構成である。【００１２】  第３図側面図は、押し出しフック付き弦部１ｂの位置を示した紙製のフィルムレンズ眼鏡の弦である。【００１３】  第４図上面図は、本考案の押し出しフック部１ｃを紙製のフィルムレンズ眼鏡の内側に押し出し、使用中眼鏡弦部２の弦の上に掛けた状態を示したものである。使用中眼鏡の使用中眼鏡レンズ部２ａと使用中眼鏡弦部２の付け根部分は顔との空間が生じ、容易に押し出しフック部１ｃを押し出すことができる。【００１４】  第５図は本考案の押し出しフック部１ｃの左右を紙製のフィルムレンズ眼鏡の内側に押し出した状態を示す。
【産業上の利用可能性】
【００１５】  本考案は、眼鏡に関する。
【符号の説明】
【００１６】  １ａ  逆Ｕ字カット付き弦部
１ｂ  押し出しフック付き弦部
１ｃ  押し出しフック部
１ｄ  押し出しフック折部
１ｅ  押し出しフック切り込み部
１ｆ  押し出し抜き窓部
２    使用中眼鏡弦部
２ａ  使用中眼鏡レンズ部
３    紙眼鏡レンズ部
【図１】
0003182275.tif 000003
【図２】
0003182275.tif 000004
【図３】
0003182275.tif 000005
【図４】
0003182275.tif 000006
【図５】
0003182275.tif 000007
【手続補正書】
【提出日】平成24年12月14日(2012.12.14)
【手続補正１】
【補正対象書類名】実用新案登録請求の範囲
【補正対象項目名】全文
【補正方法】変更
【補正の内容】
【実用新案登録請求の範囲】
【請求項１】
弦部に設けられた押し出し抜き窓部に、押し出しフック折部により内側に折り曲げられる押し出しフック部を備えたことを特徴とする平板眼鏡フレームのフィルムレンズ眼鏡。
【手続補正２】
【補正対象書類名】明細書
【補正対象項目名】全文
【補正方法】変更
【補正の内容】
【考案の詳細な説明】
【技術分野】
【０００１】  本考案は、使用している度付き眼鏡の上から掛ける簡易型の平板眼鏡フレームのフィルムレンズ眼鏡を固定する際、前記フレームの弦部にフックを付加した眼鏡に関するものである。
【背景技術】
【０００２】  従来の度付き眼鏡の上から掛ける、簡易型の平板眼鏡フレームのフィルムレンズ眼鏡は、弦部の左右に逆Ｕ字形にカットした切れ込みの中に、使用している度付き眼鏡の弦を入れる形状であった。しかしながら使用している度付き眼鏡の弦部の太さやレンズ部に固定される弦部の上下位置や耳あて部の位置によって、確実に簡易型の平板眼鏡フレームのフィルムレンズ眼鏡の弦部を固定することができない構成であった。
【先行技術文献】
【特許文献】
【０００３】
【特許文献１】
【考案の概要】
【考案が解決しようとする課題】
【０００４】  本考案は、以上のような従来の欠点に鑑み、簡易型の平板眼鏡フレームのフィルムレンズ眼鏡の弦部に、可動するカギ状のフックを左右に設けることで、カギ状のフックを指で内側に押しながら使用している度付き眼鏡の弦部の上から引っ掛け固定することで、前記眼鏡を容易に重ね合わせることを目的とする。
【課題を解決するための手段】
【０００５】  上記の目的・課題を解決するために、本考案は簡易型の平板眼鏡フレームのフィルムレンズ眼鏡の弦部に左右に可動するカギ状のフックを設ける構成とする。
【考案の効果】
【０００６】  以上の説明から明らかなように、本考案にあっては次に列挙する効果が得られる。
（１）従来の簡易型の平板眼鏡フレームのフィルムレンズ眼鏡を使用する度付き眼鏡の上に掛ける場合、使用する度付き眼鏡の弦部の太さやレンズ部に固定される弦部の上下位置や耳あて部の位置に関わらず、容易に確実に固定できる効果がある。【０００７】  （２）弦部を耳あて部で固定してから、カギ状のフックを内側に押し出し、度付き眼鏡の弦部の上から引っ掛けるため、使用する度付き眼鏡の弦部に容易に固定することができる効果がある。
【図面の簡単な説明】
【０００８】
【図１】  本考案を実施するための従来型の弦部に逆Ｕ字形にカットした部分を有する平板眼鏡フレームのフィルムレンズ眼鏡の斜視図である。
【図２】  本考案を実施するためのカギ状のフック部を有する平板眼鏡フレームのフィルムレンズ眼鏡の側面図である。
【図３】  本考案を実施するためのカギ状のフック部を有する平板眼鏡フレームのフィルムレンズ眼鏡の弦を示す側面図である。
【図４】  本考案を実施するための使用中の眼鏡の上にカギ状のフック部を掛けた状態を示す上面図である。
【図５】  本考案を実施するための平板眼鏡フレームのフィルムレンズ眼鏡の弦部に有したカギ状のフック部を左右とも内側に押し出した状態を示す正面図である。
【考案を実施するための形態】
【０００９】  以下、本考案の実施例を図面に基づいて説明する。
【実施例】
【００１０】  第２図〜第５図は本考案の好ましい実施例を示し、第２図斜視図はカギ状のフック部を有する平板眼鏡フレームのフィルムレンズ眼鏡の、押し出しフック付き弦部１ｂに設けられた押し出しフック部１ｃと押し出し抜き窓部１ｆの位置を示した図で構成されている。【００１１】  第１図斜視図は、従来の平板眼鏡フレームのフィルムレンズ眼鏡の弦部に逆Ｕ字形にカットした切れ込みを入れ、この中に使用している度付き眼鏡の弦を入れる形状を示したものである。第４図の使用中眼鏡弦部２及び押し出しフック付き弦部１ｂのように、重ね合わせる眼鏡の弦部は平行であり、逆Ｕ字カット付き弦部１ａを交差させ曲げることで使用中眼鏡弦部２を掛けなければならない構造であった。また、使用中眼鏡によっては使用中眼鏡レンズ部２ａに取り付ける弦が上の位置の場合、平板眼鏡フレームのフィルムレンズ眼鏡の弦部の耳あてを起点にすると、平板眼鏡フレームの眼鏡レンズ部３は使用中眼鏡レンズ部２ａの上部にズレが生じ、重ね合わせる効果を得ることができない構成である。【００１２】  第３図側面図は、押し出しフック付き弦部１ｂの位置を示した平板眼鏡フレームのフィルムレンズ眼鏡の弦である。【００１３】  第４図上面図は、本考案の押し出しフック部１ｃを平板眼鏡フレームのフィルムレンズ眼鏡の内側に押し出し、使用中眼鏡弦部２の弦部の上に掛けた状態を示したものである。使用中眼鏡の使用中眼鏡レンズ部２ａと使用中眼鏡弦部２の付け根部分は顔との空間が生じ、容易に押し出しフック部１ｃを押し出すことができる。【００１４】  第５図は本考案の押し出しフック部１ｃの左右を平板眼鏡フレームのフィルムレンズ眼鏡の内側に押し出した状態を示す。
【産業上の利用可能性】
【００１５】  本考案は、眼鏡に関する。
【符号の説明】
【００１６】  １ａ  逆Ｕ字カット付き弦部
１ｂ  押し出しフック付き弦部
１ｃ  押し出しフック部
１ｄ  押し出しフック折部
１ｅ  押し出しフック切り込み部
１ｆ  押し出し抜き窓部
２    使用中眼鏡弦部
２ａ  使用中眼鏡レンズ部
３    平板眼鏡フレームの眼鏡レンズ部